(57)【要約】  それぞれの定量の浸出製品（４）を含むポッド（１）を作るための装置（５）が説明される。装置は、その上に均一に分配されるポケット（７）を伴う回転ドラム運搬手段（６）と、第一ウエブ（１２）を運搬手段（６）に搬送する、フィルター材料の第一ウエブ（１２）を搬送するためのライン（Ｂ）と、第一ウエブ（１２）上に一連の凹部（Ｌ）を形成するための回転ドラム運搬手段（６）上のポケット（７）に対して、第一ウエブ（１２）を移動するための吸引手段（８）と、フィルター材料の第二ウエブ（１１）を搬送するための第二のライン（Ａ）を有する。説明した装置では、作動手段（８）は、回転ドラム運搬手段（６）上の各々のポケット（７）のために、ポケット（７）自体に連結された少なくとも一つの形成ヘッド（１３）と、それぞれの凹部（Ｌ）を形成するために、ウエブ（１２）の中に押し付けられて、ポケット（７）の中にウエブ（１２）を押圧するための、ポケット（７）に向かってそしてポケット（７）から離れて動く形成ヘッド（１３）と、形成ヘッド（１３）と同期して、ポケット（７）でウエブ（１２）に作用する吸引手段（１４）を有している。
2007513024.tif 000002
【特許請求の範囲】
【請求項１】
それぞれの定量（４）の浸出製品を収容するポッド（１）を作るための装置（５）であって、
前記装置は、その上に均一に分配されるポケット（７）を有する回転ドラム搬送手段（６）と、第一のウエブ（１２）を前記運搬手段（６）に搬送する、フィルター材料の前記第一のウエブ（１２）を搬送するためのライン（Ｂ）と、前記第一のウエブ（１２）上に、連続する凹部（Ｌ）を形成するための前記回転ドラム運搬手段（６）上の前記ポケット（７）に対して、前記第一のウエブ（１２）を動かすための作動手段（８）と、フィルター材料の第二のウエブ（１１）を搬送するための第二のライン（Ａ）を有し、
前記作動手段（８）が、前記回転ドラム運搬手段（６）上に各々のポケット（７）のための、前記ポケット（７）自体に連結する、少なくとも一つの形成ヘッド（１３）を有し、前記形成ヘッド（１３）は、前記ポケット（７）に向かっておよび前記ポケット（７）から離れて動き、それぞれの凹部（Ｌ）を形成するために、前記ウエブ（１２）の中に押込まれて、前記ポケット（７）の中で前記ウエブ（１２）を押圧し、吸引手段（１４）が前記形成ヘッド（１３）に同期して、前記ポケット（７）で、前記ウエブ（１２）に作用することを、特徴とする装置。
【請求項２】
前記装置は、前記ポケット（７）の中に前記ヘッド（１３）を押して、前記ポケット（７）自体に作用する前記吸引手段（１４）に連動して、前記第一のウエブ（１２）に前記凹部（Ｌ）を形成するような方法で、前記ヘッド（１３）を押圧する、往復押し付け手段（２０）を有することを、特徴とする、請求項１に記載の装置。
【請求項３】
前記吸引手段（１４）は、前記回転ドラム運搬手段（６）が回転する間に、規定された長さの時間、前記ポケット（７）に前記第一ウエブ（１２）と前記形成ヘッド（１３）を保持するように設計されることを、特徴とする、請求項１また２に記載の装置。
【請求項４】
前記形成ヘッド（１３）は、それが結合される前記ポケット（７）の形状と大きさに適合する形状と大きさの、剛体の押し付け要素（１３ａ）を有することを、特徴とする、請求項１〜３のいずれか一項に記載の装置。
【請求項５】
前記形成ヘッド（１３）は、枠のようなプレート（１３ｃ）に取り付けられて、枠のようなプレート（１３ｃ）の周辺にしっかりと固定される柔軟な材料の薄皮（１３ｂ）からなることを、特徴とする、請求項１〜３のいずれか一項に記載の装置。
【請求項６】
各々の前記形成ヘッド（１３）は、前記第一ウエブ（１２）に押圧する段階の間、前記ポケット（７）の頂部が略密閉されることを可能にするように、前記ポケット（７）で、第一のウエブのそれぞれの端部を安定するように設計される、安定化プレート（１５）に結合されたことを、特徴とする、請求項４または５に記載の装置。
【請求項７】
前記形成ヘッド（１３）と前記安定化プレート（１５）の間に位置付けられた弾性の挿入手段（１６）を有することを、特徴とする、請求項６に記載の装置。
【請求項８】
前記形成ヘッド（１３）は、前記ヘッド（１３）を前記回転ドラム手段（６）自体の回転（Ｘ）軸に平行な方向で、それぞれのポケット（７）を覆う、前記回転ドラム運搬手段（６）に向かっておよび、前記回転ドラム運搬手段から離れて動かす、第一カム駆動手段（１７）によって作用され、第二カム手段（１９）は、前記ポケット（７）自体に対して、半径方向に前記回転ドラム運搬手段（６）上の前記それぞれのポケット（７）に向かって、前記それぞれのポケット（７）から離れて動くことを、特徴とする、請求項１〜７のいずれか一項に記載の装置。
【請求項９】
前記ヘッド（１３）が、前記凹部（Ｌ）を形成するためにポケット（７）に向かって動くときに、前記ポケット（７）に向かってスライドする部分によって使用されるとともにスライドする部分を補う前記第一ウエブ（１２）の余分な弛んだ部分を生成するために、前記第一ウエブ（１２）の規定された長さの緊張を緩めるような方法で、各々の形成ヘッド（１３）に位置付けられ作用する補償手段（９）を更に有することを、特徴とする、請求項１〜８のいずれか一項に記載の装置。
【請求項１０】
前記補償手段（９）は、各々のヘッド（１３）のために、前記ポケット（７）と前記形成ヘッド（１３）に対して略半径方向に、前記ヘッド（１３）の反対側に位置付けられ、前記カム手段（２３）の前記押し付け動作の下で、フィルター材料の前記第一ウエブ（１２）に向かう、そして、前記第一ウエブ（１２）から離れて動く一対のピン（２１）を有することを、特徴とする、請求項９に記載の装置。
【請求項１１】
前記第二の搬送ライン（Ａ）は、規則的に連続する定量の前記浸出製品（４）を支援する、フィルター材料の前記第二のウエブ（１１）の搬送によって形成され、各々の定量（４）は、前記第一ウエブ（１２）のそれぞれの凹部（Ｌ）に関連付けられるように設計されることを、特徴とする、請求項１〜１０のいずれか一項に記載の装置。
【発明の詳細な説明】
【技術分野】
【０００１】
本発明は、浸出製品を収容するポッドを製造するための装置に関する。
【背景技術】
【０００２】
コーヒー、大麦コーヒー、お茶、カモミール等のような浸出製品の現在の市場では、一回分の定量の”ポッド(ｐｏｄｓ)”の使用が、著しく増加されており、近年、暖かい飲み物を作るのに、非常に人気のある方法は、家庭用や会社用（すなわち、少量から中くらいの量）でさえ、そのようなポッドを、特別に設計された機械で使用することである。
【０００３】
通常、一回分の定量の形式のこれらのポッドは、一回分の飲み物を提供するのに使用される。この形式のポッドを、本発明の明細書が説明するが、それにより本発明の概念の範囲を制限することはない。この形式のポッドは、通常、一つの部分が他の部分を覆って取り付けられ、略円形形状の一回分の量の製品を入れるように密封される、２つのフィルター紙部分からなる。
【０００４】
この種のポッド製造のための従来技術のパッケージング装置は、ヨーロッパ特許第４３２．１２６号で説明および図示されており、以下の段階を有する工程に従ってポッドが形成される。
第一のウエブ（web)または、フィルター紙を、適切な手段でフィルター紙にしわを寄せて縮めさせるステーションに搬送し、
形成ドラムの表面に沿って、フィルター紙のウエブを動かし、
フィルター紙に、連続した略円形の袋を形成するような方法で、フィルター紙の間隔が空けられた領域をドラムのポケットの中に強制的に入れる、円形ポケットと吸引手段が設けられ、
袋形成ドラムの回転方向で、吸引ベルトの下流に位置付けられて、袋形成ドラムに同期された第二の回転ドラムからなる投与ステーションによって、各々の袋の中に定量の製品を満たし、
最後に、ウエブ中の袋に製品を詰められた、フィルター紙の第一のウエブを、形成ドラムの回転方向に対して、充填ステーションの下流に位置付けられた、密閉するステーションに搬送されたそれぞれの第二のフィルター紙のウエブに結合する。
【０００５】
前述したヨーロッパ特許で説明された機械により、具体化された方法は、いくつかの大きな不都合を有していて、その不都合は、特に、袋を形成するための吸引により、フィルター紙を引き出す段階に関連する。
【０００６】
実際、その方法は、フィルター紙を、袋を形成するのに適するようにさせる、フィルター紙にしわをつける特別なステーションに、フィルター紙のウエブを準備する複雑な段階を含むけれども、このようにフィルター紙に形成された、多くの吸引により引き出された袋は、その中にしわ、または折り目を有するという点で、実際には欠点がある。これらのしわは、その後、袋に詰められる浸出製品が、袋中で均一に広がることを妨げるだけでなく、第一ウエブと第二ウエブとの間に脆弱な密閉をもたらす結果となる可能性がある。
【０００７】
その結果、作られたポッドは、しばしば欠陥品であり、ポッドは不十分な量の浸出製品を収容し、または、隙間を通して浸出製品が漏れる隙間を形成する、不適切に密閉された部分を有するので、不合格とされなければならない。
【発明の開示】
【発明が解決しようとする課題】
【０００８】
本発明の目的は、それゆえ、上述した従来技術の不都合を取り除き、連続的に高品質のポッドを作ることができる、浸出製品用のポッドを作るための装置を提供することである。
【課題を解決するための手段】
【０００９】
本発明に従って、上の目的は、それぞれの定量の浸出製品を含むポッドを作るための装置によって達成され、装置は、
その上に均一に分配されるポケットを有する回転ドラム運搬手段と、
第一のウエブを運搬手段に搬送するフィルター材料の第一のウエブを搬送するためのラインと、
第一のウエブ上に、一連の凹部を形成するために、第一のウエブを回転ドラム運搬手段上のポケットに対して、動かすための作動手段と、
フィルター材料の第二のウエブを搬送するための第二ラインと、を有し、
作動手段は、
回転ドラム運搬手段のそれぞれのポケットのためにポケット自体に連結された少なくとも一つの形成ヘッドを有し、形成ヘッドは、ポケットに向かって、およびポケットから離れて動き、形成ヘッドは、ウエブ中に押し付けられて、それぞれの凹部を形成するようにポケットの中でウエブを押圧し、
形成ヘッドに同期して、ポケットでウエブ上に作用する、吸引手段を有する点で、特徴付けられる装置。
【００１０】
上の目的に関連する、本発明の技術的な特徴は、特許請求の範囲で明確に説明されている。その有利点が、本発明の概念の範囲を制限せずに、単に例として提供される本発明の好ましい実施形態を図示する添付図面を参照して、以下の詳細な説明から明確になる。
【発明を実施するための最良の形態】
【００１１】
添付図面、詳細には、図１と２を参照して、符号５は、挽かれたコーヒーブレンドのような、しかしそれに制限されない浸出製品を収容するフィルター材料の単一の定量のポッド１を作るための装置の全体を示す。
【００１２】
ポッド１は、非対称形状を通常有していて、一つのフィルター紙が他のフィルター紙を覆って置かれ、浸出製品の定量４を取り囲むように密閉された、２つのフィルター紙２と３（図１を参照のこと）を有している。
【００１３】
図２で示されるように、ポッド１を作るための装置５は、間隔が開けられて複数の浸出製品の定量４が置かれた、フィルター紙の連続する細長い一片またはウエブ１１を搬送するためのラインＡと、フィルター紙の連続する細長い一片またはウエブ１２を搬送するラインＢを有する。
【００１４】
図２と３で示されるように、装置５は水平軸Ｘ周りを回転するドラム６を一般的に有し、ドラムの横の表面にそれぞれ凹部Ｌを形成する複数のポケット７を有する。複数のポケット７は、フィルター紙１２の第一のウエブがドラム６自体の表面を覆って搬送され、ドラム６自体の表面に接触するときに、フィルター紙１２の第一のウエブが、凹部によって形成されることを可能にする。装置５は、更にフィルター紙１２の第一のウエブに押圧するための作動手段８を有し、前記手段は、Ｘ軸周りを回転するドラム６に同期して、ポケット７に向かって、およびポケット７から離れて円形経路Ｐ（図７参照のこと）に沿って動く。
【００１５】
より詳細には、その上に定量の製品４を有するウエブ１１を搬送するためのラインＡから離れた、経路Ｐの少なくとも一つの円弧Ｐ１に沿って、作動手段８は、ウエブ１２に作用する（図１と７参照のこと）。この様に、第一のウエブ１２は、各々のポケット７に対して押し付けられて、凹部Ｌがその上に形成され、各々のウエブ１２は、製品のそれぞれの定量４を覆って置かれて、次に、ポッド１を完成させるような方法で、フィルター紙１１のウエブを公知の方法で、密閉する。
【００１６】
作動手段８と連結して作用する、ウエブ１２の収集部分のための補償手段９があり、補償手段９は、以下で説明される理由のために、ウエブ１２の限定された部分を集めて、保存するような方法で、円形経路Ｐの前述した円弧Ｐ１の少なくとも一部分で、フィルター紙１２のウエブに作用するように設計される。
【００１７】
装置５は、また、フィルター紙１１の第二のウエブを、密閉されたポッド１を作るためにフィルター紙１２の形成された第一のウエブに接合するための関連装置１０を有し、装置１０（図２で単に、部分的に図示される）は、ドラム６の近傍、およびフィルター紙ウエブ１１のラインＡの下に位置付けられる。
【００１８】
図２と４でより詳細に示されたように、複数のポケット７が、第一のフィルター紙ウエブ１２にそれぞれの凹部Ｌを連続的に形成するために、ドラム６の外側表面に、均等に分配されていて、各々の凹部Ｌは、ラインＡ上のウエブ１１に位置付けられたそれぞれの定量４を覆うように設計される。
【００１９】
ウエブ１２は、その軸Ｘ周りのドラム６の回転方向Ｖに一致した方向で、ラインＢに沿って搬送される。
【００２０】
図２、３および６で示されているように、作動手段８は、複数の凹部形成ヘッド１３を有し、各々が、円形経路Ｐの円弧Ｐ１に沿って、それぞれのポケット７に面するように位置付けられて、第一のフィルター紙ウエブ１２がその上に位置付けられたポケット７に適合するように形成される。吸引手段１４は、各々のポケット７の内側に位置付けられて、ヘッド１３が、ポケット７の内側のウエブ１２の部分に、凹部Ｌを形成するために、ポケット７の中で下げられるときに、ヘッド１３に連動して作用するような方法で、円形経路Ｐの少なくとも一つの領域間で、スイッチが入れられ、ヘッド１３がポケット７から離れて動かされたときに、部分的にスイッチが切られる。
【００２１】
図３で図示された、好ましい実施形態では、各々の凹部形成ヘッド１３は、ポケット７の形状および大きさに適合する形状および大きさの、剛体の押圧要素または押圧体１３ａを有している。図６で図示された実施形態では、凹部形成ヘッド１３は、剛体のプレート１３ｃのフレームに取り付けられて、剛体のプレート１３ｃのフレームの周辺に固定されている、可撓性材料の薄膜１３ｂを有している。
【００２２】
両方の実施形態においては、各々の凹部形成ヘッド１３は、凹部Ｌを形成するために、第一ウエブ１２を押圧する段階の間、ポケット７の頂部が略閉じられることを可能にするように、ポケット７の近傍で、フィルター紙ウエブ１２の端部を安定化するために、ドラム６に対する半径方向の動作によって、プレート１５に連結されている。（図２と３参照のこと）
【００２３】
各凹部形成ヘッド１３と関連付けられたプレート１５間には、吸引手段１４が部分的にスイッチを切られたときに、ヘッド１３が少なくともポケット７から離れて動くことができるように設計された、ヘッド１３とプレート１５間に置かれた弾性手段１６（実際には、図４で見ることが出来る、バネ１６ａ）がある。
【００２４】
バネ１６ａは、プレート１５に対してヘッド１３の半径方向の両方向の動作のためのガイドとして作用するピン１６ｂの周りに、巻きついている。
【００２５】
図３と図４でより詳細に図示されるように、各々の凹部形成ヘッド１３は、ヘッド１３と、ドラム６とヘッド１３両方を回転させるための共通シャフト１８との間に位置付けられた第一カム手段１７によって、作用させられる。
【００２６】
第一カム手段１７は、ヘッド１３を、ヘッド１３が円形経路Ｐの円弧Ｐ１に沿うポケット７に半径方向に面するドラム６に向かって、軸Ｘ（図２参照のこと）に平行な方向に動くことを可能にし、フィルター材料の第一の部分３がその上に定量の製品４を載せて通過する、円形経路Ｐの円弧Ｐ２に沿って、ドラム６から離れて動くことを可能にする。
【００２７】
詳細には、図４で示されるように、各々の凹部形成ヘッド１３の第一カム手段１７は、共通シャフト１８上に作られた第一カム外形２８を有し、上述したようにそれぞれのポケット７に向かって、およびポケットから離れて動くことを、凹部形成ヘッド１３に可能にするような方法で（図２と４の矢印Ｆ１７参照のこと）、凹部形成ヘッド１３とプレート１５を支持するロッド３０の内側端部に結合されている第一カム従属子２９に係合されている。
【００２８】
各々の凹部形成ヘッド１３は、また、ヘッド１３とドラム６を回転するための共通シャフト１８の間に作用する第二のカム手段１９によって、作用させられる。
【００２９】
第二のカム手段１９は、既にそれぞれのポケット７に面して、円形経路Ｐの円弧Ｐ１の少なくともＴ３領域で（図７と８参照のこと）、ヘッド１３の半径方向の動作を可能にし、ポケット７から離れる位置から、ヘッド１３がポケット７の外周に近接してポケット７の外周に略接触する事前押圧位置への、ヘッド１３の半径方向の動作を可能にし、逆の場合も同じである。
【００３０】
より詳細には、図４で図示されるように、第二のカム手段１９は、共通シャフト１８上に作られた第二のカム外形３１を有し、ヘッド１３とプレート１５を支持するロッド３０にスライド可能に取り付けられたキャリッジ３３に取り付けられたカム従属子３２に係合される。このことは、凹部形成ヘッド１３を、図７と図８で表される工程サイクルに従って、円弧Ｔ３、位置Ｐ４と、ヘッド１３が上昇される位置に戻らされるＴ５での端部位置（矢印Ｆ１９参照のこと）の間に含まれる、それぞれの円弧に沿って、ポケット７に向かって動かすこと、および離れて動かすことを可能にするためである。
【００３１】
第二のカム従属子３２とキャリッジ３３の間には、凹部形成ヘッド１３の下方への動作を鈍らせるように設計された挿入スプリン手段３４がある。
【００３２】
図４と３において、符号２０は、円形経路Ｐの位置Ｔ４に位置づけられた凹部形成ヘッド１３を押し付けるための手段を示し、円形経路Ｐのあらかじめ定められた位置Ｔ４で、凹部形成ヘッド１３の下方への動作を開始するための吸引手段１４に連結して作用するための手段を示す。
【００３３】
より詳細に見ると、押し出し手段２０は、第二のシャフト３６に接続されて、ドラム６を回転するための共通シャフト１８に平行で、共通シャフト１８に同期された回転プレート３５を有する。
【００３４】
プレート３５は、プレート３５自体から突出する複数のスラストころを備えていて、あらかじめ定められた位置Ｔ４で、下方への形成動作を開始するような方法で、各々の凹部形成ヘッド１３に接するように設計されている。
【００３５】
再び図３と４を参照して、前述した補償手段９は、ヘッド１３がポケット７の中に下がって移動するときに、ポケット７の内側に押されるフィルター材料を補償するために、ヘッド１３の下への動作中に取り込まれるウエブ１２の余分に弛んだ部分を生成するために、各々の凹部形成ヘッド１３の反対側に位置づけられる。
【００３６】
より詳細には、手段９は、ピン２１を有し、各々の凹部形成ヘッド１３の間に位置付けられて、フィルター材料のウエブ１２とドラム６の表面との間に、挿入されている。
【００３７】
図示された、好ましい実施形態では、ピン２１は、ドラム６の後ろに位置付けられた垂直補助ロッド２２に結合されている。
【００３８】
ロッド２２は、すくなくとも円形経路Ｐの円弧Ｐ１に沿って複数の位置の選択を可能にするための、前述した共通シャフト１８上に位置付けられた第三のカム手段２３によって駆動され、ピン２１がドラム６の表面の略下側（すなわち、ドラム６自身のそれぞれのスロット６ａの中で）の第一の退避位置と、形成ポケット７の近くに定量の余分な材料が集まるように、ピン２１がドラム６の表面の上に上昇される、第二の伸延端部位置との間で、駆動される。
【００３９】
カム手段２３は、ロッド２２を支持する２つの接続ロッド２４と２５を有していて、その中の一つは、ヘッド１３の動作に一致して、円形経路Ｐに沿う各々のピン２１によって選ばれた連続位置を形成するように、共通シャフト１８によって示された第三のカム外形２７に係合された第三のカム従属子２６を備えている。より詳細には、位置は以下のようようである。すなわち、ドラム６上のフィルター材料のウエブ１２の搬送と、それぞれの凹部形成ヘッド１３の併進運動に対応する第一円弧Ｐ５（図７と８参照のこと）のための第一の退避位置。第一の退避位置では、それぞれの凹部形成ヘッド１３は、ポケット７に向かって、ポケット７の半径方向に上に、ドラム６の回転方向Ｖに対して、ピン２１の上流に位置付けられる。更に、余分な材料が集められる、ポケット７に向かう凹部形成ヘッド１３の半径方向の動作に対応する第二の円弧Ｐ６のための第二の上昇位置。第三の円弧Ｐ７のためにドラム６の表面に向かって、ピン２１が半径方向で、１段階下がって動く第三の位置及び、凹部形成ヘッド１３が第一のウエブ１２の部分３を形成するためにＴ４位置で、ポケット７の中で半径方向に下がって動くときに、第四の円弧Ｐ８のために最後に上から下へ動く第四の位置。
【００４０】
図３、４及び５で示すように、前述の吸引手段１４は、各々のポケット７の下に位置付けられたチャンバー１３７を有する。チャンバー１３７は、ポケット７の底７ａに均一に分布された複数の穴１３８を通って、ポケット７に接続されている。
【００４１】
各々のチャンバー１３７は、それぞれの溝１３９を通って、真空を生成するためのユニット１４０に接続されて、ユニット１４０は、円形経路Ｐに沿うポケット７の位置に従って、真空を分配し、そのスイッチを入れる、または切るように設計されている。
【００４２】
実際には、真空は、ヘッド１３を上昇することを可能にするために、部分的にスイッチが切られるＴ５位置と、ウエブ１１を通りすぎるときに、形成された部分３が定量４の上に解放されることを可能にする経路Ｐ２のＴ６位置とを除いて、経路Ｐの全円弧Ｐ１上に、真空が残っている。
【００４３】
貼付図面では、本発明を制限しない例として、定量の製品４、ポケット７及びウエブ１２に形成された凹部Ｌは、円形形状であり、従って、その剛体バージョンでは、ヘッド１３もまた円形形状を有する。
【００４４】
同様に、ポケット７のボトム７ａ上へのフィルター紙のよりよい密着を可能にするために、少なくとも二つの同心円のグループ１３８ａと１３８ｂを形成するような方法で、穴１３８は、配置される。（図５参照のこと）
【００４５】
一方、凹部形成ヘッド１３が、例えば、ゴムの薄皮を伴う、薄皮形式１３ｂならば（図６参照のこと）、ヘッド１３は、正方形または矩形形状でもよく、剛体により、端部を丸く保持された４角形プレート１３ｃでもよく、ポケット７の下層の形状に適合するような方法で作られてもよい。
【００４６】
要するに、特に図７と８に関連して、凹部Ｌが定量４と合わさる位置Ｔ６から開始する、動作段階と上述した構成要素の動作は、以下のようである。
【００４７】
Ｐ１部分とＰ２部分を有する第一角度領域では、ヘッド１３とプレート１５の組立体が退避され（Ｔ１）、Ｖ方向に対してその上流のピン２１は、下位位置（Ｐ５）にあり、吸引手段１４がＯＮになる。
【００４８】
連続して、ドラム６への第一のウエブ１２の搬送が続く、第二の角度領域Ｐ１では、ヘッド１３とプレート１５の組立体は、それぞれのポケット７に向って移動を開始し、それが、ポケット７の全体を覆って、半径方向で重ね合わせられるまで移動し（Ｔ２）、ピン２１は、余分な材料を生成するために、半径方向に移動を開始する。（Ｐ６）
【００４９】
第三角度領域では、ヘッド１３とプレート１５の組立体がポケット７に半径方向に向って下げられて（Ｔ３）そこで保持され、一方、ピン２１が、ヘッド１３の下流の次のピン２１’を、位置Ｐ６に対して上昇して移動することを可能にするように、半径方向に、１段階下がって動く（Ｐ７）。
【００５０】
第四角度領域では、ヘッド１３とプレート１５の組立体は、ヘッド１３が、押し付け手段２０の動作の下で、ポケット７の中に下がって動くＴ４位置に到達する前まで、略同じ位置に依然としてあり、一方、ピン２１は、第一ウエブ１２に凹部が適切に形成されることを可能にするように、最後まで、下がって動く（Ｐ８）。
【００５１】
Ｔ４位置からＴ５位置に伸びる第五領域では、ヘッド１３とプレート１５の組立体は、凹部形成位置で保持されて、ピン２１は、吸引手段１４が、ヘッド１３とプレート１５の組立体が、上昇位置（Ｔ２）に上昇して戻ることを可能にするように、わずかの間スイッチが切られるＴ５位置に到着するまで、下位位置にある。
【００５２】
Ｔ５位置からＴ６位置に伸びる第６領域では、ヘッド１３とプレート１５の組立体は、それぞれのポケットから離れて後ろに移動し、ピン２１は、ドラム６の下の、定量４を伴う第二のウエブ１１の通過を可能にするために下位位置に依然としてあり、吸引手段は、ウエブ１２の凹部Ｌが、定量４の上に解放されることを可能にするように、少なくともＴ６位置では、ＯＦＦにされる。
【００５３】
上述した装置は、以下の有利点を提供する。
深くて広い凹部は、ウエブの中に折り目/しわなしに、従って、浸出製品が漏れる可能性なしに、定量のポッドを形成することを可能にする。それは、特に、ヘッドによって、押し下げられる材料を補償するために少量の余分のフィルター材料を集めるためのシステムと組み合わされた特別な設計の形成ヘッドのおかげであり、このことは、すべてのポッドが、正確に同じ量の浸出製品を含むことを意味する。
【００５４】
本発明は修正されることができて、従って、本発明の概念の範囲を逸脱することなしに、さまざまな方法で適用されることが理解される。更に、本発明のすべての詳細は、技術的に等価要素と置き換えられることができる。
【図面の簡単な説明】
【００５５】
【図１】図１は、本発明に従った装置を使用して作られた、浸出製品用のポッドの側面図である。
【図２】図２は、本発明に従ったポッドを作るための装置の好ましい実施形態の、明確のためにいくつかの部分が切り取られた、概略の斜視図である。
【図３】図３は、いくつかの部分が断面で、他の部分が明確のために切り取られた、図２の装置の正面図である。
【図４】図４は、図３で図示された装置の断面の側面図である。
【図５】図５は、図３の装置の平面図である。
【図６】図６は、いくつかの部分が断面で、他の部分が明確のために切り取られた、本発明に従った装置の別の実施形態の正面図である。
【図７】図７は、本発明に従った装置の各部の動きを表す図である。
【図８】図８は、本発明に従った装置の工程サイクルを表すグラフである。
【図１】
2007513024.tif 000003
【図２】
2007513024.tif 000004
【図３】
2007513024.tif 000005
【図４】
2007513024.tif 000006
【図５】
2007513024.tif 000007
【図６】
2007513024.tif 000008
【図７】
2007513024.tif 000009
【図８】
2007513024.tif 000010
【国際調査報告】
2007513024.tif 000011
2007513024.tif 000012
2007513024.tif 000013
2007513024.tif 000014